(57)【要約】【課題】  記録媒体収容機構（例えば、カードスロット）の配置を工夫してカメラの薄型化を図る。【解決手段】  撮影光束を受光して電気的画像信号を生成する撮像ユニット８と、撮像ユニット８を撮影光路内に支持してカメラボディに固定される板状の固定部材１３と、画像信号から生成される画像データが記録される記録媒体を収容する記録媒体収容機構９とを備えた電子カメラにおいて、撮像ユニット８は、固定部材１３における光路後方を向く面１３ｂに支持されるとともに、記録媒体収容機構７は、固定部材１３における光路前方を向１３ａく面に支持される。またフォーカルプレーンシャッタは、面１３ａに記録媒体収容機構７と並べて支持される。【選択図】        図１
2006033262.tif 000002
【特許請求の範囲】
【請求項１】
撮影光束を受光して電気的画像信号を生成する撮像ユニットと、
該撮像ユニットを撮影光路内に支持してカメラボディに固定される板状の固定部材と、
前記画像信号から生成される画像データが記録される記録媒体を収容する記録媒体収容機構とを備えた電子カメラにおいて、
前記撮像ユニットは、前記固定部材の光路後方を向く面に支持されるとともに、前記記録媒体収容機構は、前記固定部材の光路前方を向く面に支持されることを特徴とする電子カメラ。
【請求項２】
前記撮像ユニットの光路前方で開閉するフォーカルプレーンシャッタを有し、該フォーカルプレーンシャッタは、前記固定部材の光路前方を向く面に前記記録媒体収容機構と並べて支持されることを特徴とする電子カメラ。
【請求項３】
前記撮像ユニットの光路後方に、複数の電気部品が実装される電気基板が配置されていることを特徴とする請求項１または２に記載の電子カメラ。
【発明の詳細な説明】
【技術分野】
【０００１】
本発明は電子カメラに関し、記録媒体収容機構の配置に特徴を持たせたものである。
【背景技術】
【０００２】
一般に電子カメラ（デジタルスチルカメラ）は、画像記録媒体であるメモリカードを収容するカードスロットを有しているが、カードスロットの配置には比較的大きなスペースを必要とする。特許文献１には、２つのカードスロットを有する電子カメラにおいて、その配置を工夫することで、スペースの節約を図ったものが開示されている。
【０００３】
【特許文献１】特開２００３−１６２６９４号公報
【発明の開示】
【発明が解決しようとする課題】
【０００４】
しかしながら、引用文献１の構造は、あくまでも複数のカードスロットを設ける場合の配置スペースを節約するためのもので、単一のカードスロットしか持たないカメラは対象外である。
【課題を解決するための手段】
【０００５】
本発明は、撮影光束を受光して電気的画像信号を生成する撮像ユニットと、撮像ユニットを撮影光路内に支持してカメラボディに固定される板状の固定部材と、画像信号から生成される画像データが記録される記録媒体を収容する記録媒体収容機構とを備えた電子カメラに適用される。撮像ユニットは、固定部材における光路後方を向く面に支持されるとともに、記録媒体収容機構は、固定部材における光路前方を向く面に支持される。
特に請求項２の発明は、撮像ユニットの光路前方で開閉するフォーカルプレーンシャッタを有し、フォーカルプレーンシャッタは、固定部材の光路前方を向く面に記録媒体収容機構と並べて支持される。
請求項３の発明では、撮像ユニットの光路後方に、複数の電気部品が実装される電気基板が配置されている。
【発明の効果】
【０００６】
本発明によれば、撮影ユニットをカメラに固定する固定部材の光路前方を向く面に記録媒体収容機構を配置したので、固定部材の後方に無駄なスペースが生ずることがなく、カメラボディの薄型化が図れる。
【発明を実施するための最良の形態】
【０００７】
図１〜図３により本発明の一実施の形態を説明する。
図１，図２は本実施形態における一眼レフタイプの電子カメラの概略構造を示している。１はカメラボディを、１ａはボディ１の一端側に形成されたグリップを示し、グリップ１ａ内に電池室を設ける機種が多い。ボディ１に設けられたレンズマウント２には、不図示の撮影レンズが装着され、その撮影レンズを透過した被写体光束は、図２のメインミラー３で反射され、フォーカシングスクリーン４，ペンタプリズム５および接眼部６を介してアイポイントＥＰにて観察される。撮影が指示されると、メインミラー３が跳ね上げられるとともにフォーカルプレーンシャッタシャッタ（以下、単にシャッタ）７が開閉され、被写体光束はシャッタ開口を通って撮像ユニット８に入射する。シャッタ７は、シャッタ開口やシャッタ羽根を有する本体７ａと羽根駆動機構７ｂとが一体化されて成る。
【０００８】
撮像ユニット８は、ＣＣＤ等の撮像素子や撮像基板、撮像素子の前面に配置される光学ローパスフィルタなどがユニット化されて成る。上記被写体光束は、ローパスフィルタを透過して撮像素子の受光面に入射し、露光が行われる。撮像素子は、受光光量に応じた電気的画像信号を生成し、その画像信号に種々の処理が施されることで画像データが生成される。その画像データは、カードスロット９に収容されたメモリカード（不図示）に記録される。カードスロット９は、カード収容部およびデータ記録／読み出し用の電気回路基板等が一体化されて成り、メモリカードの収容部への挿抜は、カメラボディ１のグリップ側側面に設けられた不図示の扉を開くことで可能となる。
【０００９】
またカメラボディ１の背面近傍には、硬質の電気基板（以下、背面基板）１１が配置され、背面基板１１の両面に複数の電気部品が実装されている。図の１２はそれら電気部品の実装範囲を示している。
【００１０】
次に、上記フォーカルプレーンシャッタ７，撮像ユニット８およびカードスロット９の配置について詳述する。
これら３部材７〜９は、シャシー１３に支持される。シャシー１３は板部材から成り、撮影光軸と直交する方向に延在するようカメラボディ１に固定される。シャシー１３の背面（光路後方を向く面）１３ｂのほぼ中央には撮像ユニット８が支持され、またシャシー１３の前面（光路前方を向く面）１３ａには、ほぼ中央にシャッタ７が支持されるとともに、グリップ側の端部にカードスロット９がシャッタ７と並んで（カメラ側方から見たときに、シャッタ７とカードスロット９とが重なるように）支持される。
なお、シャシー１３には、シャッタ開口を通過した光束を撮像ユニット８に導くための開口が予め形成されている。
【００１１】
ここで、従来は例えば図４に示すように、カードスロット９’を背面基板１１’の前面に他の電気部品とともに実装するのが通例であった。この場合、カードスロット９’自体はデータ記録／読み出し用の電気回路基板を持たず、そのための回路は背面基板１１’に実装されていた。しかしながら、一般にカードスロットは、他の電気部品の実装高さよりも大幅に厚いから、図４の配置では背面基板１１’とシャシー１３との間に無駄なスペースＳＰ（ハッチング部分）が生じ、そのスペース分だけカメラボディ１の厚みを大きくとる必要があった。スペースＳＰに他の部品を配置することは可能であるが、カメラの薄型化を重視する場合にはスペースＳＰの存在は著しく不利となる。
【００１２】
これに対して本実施形態では、上述したようにカードスロット９をシャシー１３の前面に配置することで、無駄なスペースＳＰを生じさせることなく、図１に示すようにシャシー１３と背面基板１１とを限りなく近接配置できる。したがって、従来と比べてカメラボディ１の光軸方向の厚みを薄くすることができ、カメラの携帯性が向上する。加えて、カメラボディ１を薄型化することでフォーカシングスクリーン４からアイポイントＥＰまでの光路長を短くでき、ファインダ倍率を高くすることが可能となる。
【００１３】
なお実施形態では、カメラの薄型化を最重視したため、撮像ユニット８と背面基板１１との隙間が背面基板１１への部品実装高さよりも狭くなっており、このため撮像ユニット８の背面側に電気部品を実装することはできない。しかし、従来カードスロットが実装されていた箇所（図４参照）に他の電気部品を実装できるので、実装面積としては従来と殆ど変わらない。
【００１４】
図３は２台のカードスロットを設けた例を示している。第２のカードスロット９Ａは、カードスロット９の上（光軸前方）に重ねて配置されるが、グリップ側のシャシー前方は比較的スペースに余裕があるため、カードスロットを２台設けてもカメラの厚さは厚くならない。もしそのままでは余裕がない場合には、グリップ内に配置される電源電池を小型化するなどして対処すればよく、カメラの厚さを厚くせずに２台のカードスロットを配置できる。
【００１５】
なお、カードスロットに挿抜されるメモリカードの種類は問わない。また複数のカードスロットを設ける場合、各スロットで扱うカードは同一種類のものでもよいし、異なる種類のものでもよい。また画像の記録媒体はカードに限定されず、ハードディスクのようなものでもよく、収容部に固定的に（挿抜不能に）配置されるものでもよい。
【図面の簡単な説明】
【００１６】
【図１】本発明の一実施形態における電子カメラの内部構造を上方から見た概略図で、１台のカードスロットを配置した例を示す。
【図２】図１の電子カメラの内部構造を側方から見た概略図。
【図３】他の実施形態におけるカメラの内部構造を上方から見た概略図で、２台のカードスロットを配置した例を示す。
【図４】従来の電子カメラの問題点を説明する図。
【符号の説明】
【００１７】
１  カメラボディ
７  フォーカルプレーンシャッタ
８  撮像ユニット
９，９Ａ  カードスロット
１１  背面基板
１２  電気部品の実装範囲
１３  シャシー
１３ａ  シャシー前面
１３ｂ  シャシー背面
【図１】
2006033262.tif 000003
【図２】
2006033262.tif 000004
【図３】
2006033262.tif 000005
【図４】
2006033262.tif 000006